(57)【要約】【課題】工具を使わずに楽に使用できる引き出しの高さを調整する装置を提供する。【解決手段】引き出しの高さを調整する装置は、引き出し、ベース１０、支持座１２、調整ダイヤル１４、ネジ軸１６及び接続部材１８を備える。ベース１０は、一方の端部に設けられた第１の端部２０と、他方の端部に設けられた第２の端部２２とを有し、第１の端部２０がガイドレールに接続され、ベース１０が有する可撓性により、第１の端部２０の位置に対応するように第２の端部２２が移動し、第２の端部２２の位置が第１の端部２０より高いとき、第１の端部２０と第２の端部２２との間にガイド斜面が形成される。支持座１２は、ベース１０の第２の端部２２に取り付けられ、竪穴３２と、竪穴３２に連通する横穴３４と、支持穴３６と、を有する。【選択図】図１
0003166791.tif 000002
【実用新案登録請求の範囲】
【請求項１】
引き出し、ベース、支持座、調整ダイヤル、ネジ軸及び接続部材を備える引き出しの高さを調整する装置であって、
前記引き出しは、後部に接合部が設けられ、ガイドレールに接合され、
前記ベースは、一方の端部に設けられた第１の端部と、他方の端部に設けられた第２の端部とを有し、前記第１の端部が前記ガイドレールに接続され、前記ベースが有する可撓性により、前記第１の端部の位置に対応するように前記第２の端部が移動し、前記第２の端部の位置が前記第１の端部より高いとき、前記第１の端部と前記第２の端部との間にガイド斜面が形成され、
前記支持座は、前記ベースの前記第２の端部に取り付けられ、竪穴と、前記竪穴に連通する横穴と、支持穴と、を有し、
前記調整ダイヤルは、前記支持座の前記横穴内に配置されるときに、前記支持座の前記竪穴の位置に対応するネジ孔と、前記支持座の前記横穴から露出される調整部と、を有し、
前記ネジ軸は、前記支持座の前記竪穴内に貫設し、前記調整ダイヤルの前記ネジ孔に螺着されて前記ガイドレールに接続され、
前記接続部材は、固定板の両側にそれぞれ設けられた突出部及びピンを有し、前記引き出しの後部に設けられた前記接合部に、前記突出部が嵌入され、前記支持座の前記支持穴にピンが挿入されることを特徴とする、引き出しの高さを調整する装置。
【請求項２】
前記引き出しの前記接合部は円形状の孔であり、
前記接続部材の前記突出部は円柱体であることを特徴とする、請求項１に記載の引き出しの高さを調整する装置。
【請求項３】
前記引き出しの前記接合部は帯状凹溝であり、
前記接続部材の前記突出部は帯状ブロックであることを特徴とする、請求項１に記載の引き出しの高さを調整する装置。
【請求項４】
前記ベースは、前記第１の端部と前記第２の端部との間に設けられた１対の側壁と、固定片をそれぞれ有する１対の位置決め部と、を有し、
前記支持座は、前記固定孔がそれぞれ設けられる１対の収納部を有し、
前記位置決め部の前記固定片は、前記収納部の前記固定孔に対応するように挿入して接続することを特徴とする、請求項１に記載の引き出しの高さを調整する装置。
【請求項５】
前記ベースの前記第１の端部には、前記ガイドレールの凸体を挿入してカシメ固定する貫通孔が設けられていることを特徴とする、請求項１に記載の引き出しの高さを調整する装置。
【請求項６】
前記ベースの前記第１の端部は、前記ガイドレールに設けた挿入口に挿入して嵌着されることを特徴とする、請求項１に記載の引き出しの高さを調整する装置。
【考案の詳細な説明】
【技術分野】
【０００１】
本考案は、引き出しの高さを調整する装置に係り、特に、ガイドレールと結合し、ガイドレールに対する引き出しの後端の高さを調整することができる引き出しの高さを調整する装置に関する。
【背景技術】
【０００２】
従来の引き出しの後端の高さを調整する機構は、ネジ用工具又は機構上の偏心部材を利用し、力を加えて調整する（例えば、特許文献１）。
【０００３】
また、特許文献２では、引き出しの後端の高さが調整可能な技術が開示されている。特許文献２は、引き出し（ｄｒａｗｅｒ）１０、受け部材（ｒｅｃｅｉｖｉｎｇ  ｃｏｍｐｏｎｅｎｔ）５６、取り付け部材（ｍｏｕｎｔｉｎｇ  ｅｌｅｍｅｎｔ）２２及び円盤状プレート（ｄｉｓｃ−ｓｈａｐｅｄ  ｐｌａｔｅ）４４から構成される。引き出し１０は、ランナ（ｒｕｎｎｅｒ）１８上に取り付けられている。受け部材５６は、スロット状受口部（ｓｌｏｔ−ｌｉｋｅ  ｒｅｃｅｉｖｉｎｇ  ｏｐｅｎｉｎｇ）６６を有し、引き出しの後端に挿入して位置決めされる。取り付け部材２２には、ランナ１８の側部に枢着された軸受ジャーナル（ｂｅａｒｉｎｇ  ｊｏｕｒｎａｌ）２６と、孔（ｈｏｌｅ）３０と、受け部材５６のスロット状受口部６６内に嵌入する取り付け部材２８と、を有するレバーアーム（ｌｅｖｅｒ  ａｒｍ）２４が設けられている。プレート（ｐｌａｔｅ）２８は、受け部材５６のスロット状受口部６６内に嵌入されている。円盤状プレート４４は、レバー（ｌｅｖｅｒ）５２及び偏心体（ｅｃｃｅｎｔｒｉｃ  ｃｏｍｐｏｎｅｎｔ）３２を有する。円盤状プレート４４は、軸受部品（ｂｅａｒｉｎｇ  ｃｏｍｐｏｎｅｎｔ）４０を介し、取り付け部材２２に接続されている。偏心体３２は、取り付け部材２２の孔３０内に延伸されている。レバーが回転されると、偏心体３２により取り付け部材２２が駆動され、軸受ジャーナル２６を軸心として回転し、取り付け部材２２のプレート２８を駆動し、受け部材５６を変位させることにより、引き出しの後端の高さを調整する。
【０００４】
特許文献１及び特許文献２では、家具に取り付けられた引き出しに高度調整機能を備えさせ、家具に取り付けられる引き出しの角度に偏差が発生することを防ぐ。しかし、特許文献１及び特許文献２の機構は、実際に使用する際、ネジ用工具を使用しなければならないため不便であった。また偏心カム構造により調整するため、その調整量には限界があり、改善が求められていた。
【先行技術文献】
【特許文献】
【０００５】
【特許文献１】アメリカ合衆国特許第７０１４２８２号公報
【特許文献２】アメリカ合衆国特許出願公開第２００９／０１６７１２８号公報
【考案の概要】
【考案が解決しようとする課題】
【０００６】
そこで、本考案の主な目的は、工具を使わずに楽に使用できる引き出しの高さを調整する装置を提供することにある。
【課題を解決するための手段】
【０００７】
上記課題を解決するために、本考案の第１の形態によれば、引き出し、ベース、支持座、調整ダイヤル、ネジ軸及び接続部材を備える引き出しの高さを調整する装置であって、  前記引き出しは、後部に接合部が設けられ、ガイドレールに接合され、前記ベースは、一方の端部に設けられた第１の端部と、他方の端部に設けられた第２の端部とを有し、前記第１の端部が前記ガイドレールに接続され、前記ベースが有する可撓性により、前記第１の端部の位置に対応するように前記第２の端部が移動し、前記第２の端部の位置が前記第１の端部より高いとき、前記第１の端部と前記第２の端部との間にガイド斜面が形成され、前記支持座は、前記ベースの前記第２の端部に取り付けられ、竪穴と、前記竪穴に連通する横穴と、支持穴と、を有し、前記調整ダイヤルは、前記支持座の前記横穴内に配置されたときに、前記支持座の前記竪穴の位置に対応するネジ孔と、前記支持座の前記横穴から露出される調整部と、を有し、前記ネジ軸は、前記支持座の前記竪穴内に貫設し、前記調整ダイヤルの前記ネジ孔に螺着されて前記ガイドレールに接続され、前記接続部材は、固定板の両側にそれぞれ設けられた突出部及びピンを有し、前記引き出しの後部に設けられた前記接合部に、前記突出部が嵌入され、前記支持座の前記支持穴にピンが挿入されることを特徴とする、引き出しの高さを調整する装置が提供される。
【０００８】
前記引き出しの前記接合部は円形状の孔であり、前記接続部材の前記突出部は円柱体であることが好ましい。
【０００９】
前記引き出しの前記接合部は帯状凹溝であり、前記接続部材の前記突出部は帯状ブロックであることが好ましい。
【００１０】
前記ベースは、前記第１の端部と前記第２の端部との間に設けられた１対の側壁と、固定片をそれぞれ有する１対の位置決め部と、を有し、前記支持座は、前記固定孔がそれぞれ設けられた１対の収納部を有し、前記位置決め部の前記固定片は、前記収納部の前記固定孔に対応するように挿入して接続することが好ましい。
【００１１】
前記ベースの前記第１の端部には、前記ガイドレールの凸体を挿入してカシメ固定する貫通孔が設けられていることが好ましい。
【００１２】
前記ベースの前記第１の端部は、前記ガイドレールに設けた挿入口に挿入して嵌着されることが好ましい。
【図面の簡単な説明】
【００１３】
【図１】本考案の一実施形態による引き出しの高さを調整する装置を示す分解斜視図である。
【図２】本考案の一実施形態による引き出しの高さを調整する装置をガイドレールに対応するように結合させるときの状態を示す分解斜視図である。
【図３】本考案の一実施形態による引き出しの高さを調整する装置とガイドレールとを対応するように結合させるときの状態を示す分解斜視図である。
【図４】本考案の一実施形態による引き出しの片側、ガイドレール及び１組の引き出しの高さを調整する装置を示す分解斜視図である。
【図５】本考案の一実施形態による引き出しの片側、ガイドレール及び１組の引き出しの高さを調整する装置を示す分解斜視図である。
【図６】本考案の一実施形態による引き出しの高さを調整する装置をガイドレールに結合し、引き出しを取り付けたときの状態を示す断面図である。
【図７】本考案の一実施形態によるガイドレールに対して引き出しの高さを調整するときの状態を示す断面図である。
【図８】本考案の一実施形態によるガイド斜面により引き出しを案内して引き出しの高さを調整する装置に接続するときの状態を示す断面図である。
【図９】本考案の一実施形態による引き出しの高さを調整する装置の接続部材と引き出しとを組み合わせてから固定部材で接続するときの状態を示す斜視図である。
【考案を実施するための形態】
【００１４】
以下、本考案の実施形態について図に基づいて説明する。なお、これによって本考案が限定されるものではない。
【００１５】
図１を参照する。図１に示すように、本考案の一実施形態による引き出しの高さを調整する装置は、ベース１０、支持座１２、調整ダイヤル１４、ネジ軸１６及び接続部材１８から構成される。
【００１６】
ベース１０は、金属プレートなどの可撓性材料からなり、一方の端部に設けられた第１の端部２０と、他方の端部に設けられた第２の端部２２とを有する。第１の端部２０と第２の端部２２との間には、下向きに延伸した１対の側壁２４が設けられている。１対の位置決め部２６は、第２の端部２２から上向きに延伸された垂直セクション２８と、垂直セクション２８の頂端から第１の端部２０に向かって延伸された固定片３０と、を有する。
【００１７】
支持座１２は、ベース１０の第２の端部２２に取り付けられ、竪穴３２と、竪穴３２に連通する横穴３４と、支持穴３６と、１対の収納部３８と、を有する。支持穴３６には、接続部材１８が対応するように接続される。１対の収納部３８には、ベース１０の位置決め部２６の固定片３０を挿入して接続するために用いる固定孔４０がそれぞれ設けられている。
【００１８】
調整ダイヤル１４は、支持座１２の横穴３４内に配置すると、支持座１２の竪穴３２の位置に対応するネジ孔４２と、ユーザが簡便に操作調整することができるように、支持座１２の横穴３４から露出される調整部４４と、を有する。
【００１９】
ネジ軸１６は、支持座１２の竪穴３２内に貫設し、調整ダイヤル１４のネジ孔４２と螺着される。
【００２０】
接続部材１８は、固定板５０の両側にそれぞれ接続された突出部４６及びピン４８を有する。
【００２１】
実際に使用する際、まず、ガイドレール５２に、引き出しの高さを調整する装置を結合させる。ベース１０の第１の端部２０は、カシメ固定、溶接などの手段により、ガイドレール５２の後部に接続される。例えば、図２に示すように、第１の端部２０には、貫通孔５４が設けられている。ガイドレール５２は、貫通孔５４に凸体５６を挿入してカシメ固定したり、図３に示すように、ガイドレール５２に設けられた挿入口５８に、ベース１０の第１の端部２０を挿入して嵌着したりしてもよい。また、ベース１０の第２の端部２２は、支持座１２及びネジ軸１６により、ガイドレール５２と間接的に接続されてもよい。ネジ軸１６の端部は、ガイドレール５２に嵌設して固定される。
【００２２】
前述のガイドレール５２を引き出し６０に取り付ける際、引き出し６０の底部に配置された１対のガイドレール５２を使用し、引き出し６０の後部と、各ガイドレール５２とがそれぞれ１組の引き出しの高さを調整する装置を介して取り付けられている。
【００２３】
図４を参照する。図４には、説明を簡単に行うために、引き出しの片側、ガイドレール及び１組の引き出しの高さを調整する装置だけが示されている。引き出し６０の後部には、接合部６２が設けられている。本実施形態において、接合部６２は、円形状の孔である。接続部材１８は、引き出し６０の接合部６２に挿着する円柱体である突出部４６を有したり、或いは、図５に示すように、帯状凹溝である引き出し２００の接合部２０２に、帯状ブロックである接続部材２０４の突出部２０６を嵌着させたりしてもよい。
【００２４】
図６を参照する。図６に示すように、本考案の引き出しの高さを調整する装置は、ガイドレール５２に引き出し６０を取り付ける際、引き出し６０の接合部６２に、接続部材１８の突出部４６を挿着し、支持座１２の支持穴３６内にピン４８を挿入する。引き出し６０の後部の高さを調整し、傾斜状態を修正する場合、図７に示すように、ユーザが調整ダイヤル１４の調整部４４を回転させる。これにより、ネジ軸１６に対して調整ダイヤル１４が回転して支持座１２が変位し、支持座１２により接続部材１８が連動し、ガイドレール５２に対して引き出し６０の後部の高さを調整することができる。引き出し６０の取り付け状態を適宜修正し、最適な状態に調整することができる。
【００２５】
図８に示すように、支持座１２は、調整ダイヤル１４により位置が調整されると、ガイドレール５２から外れ、ベース１０の第２の端部２２の位置が移動して第１の端部２０より高くなる。この際、第１の端部２０と第２の端部２２との間に形成されたガイド斜面６４により引き出し６０がガイドレール５２から外され、再び取り付ける場合、ガイド斜面６４に沿って引き出し６０の後部を移動させ、支持座１２の支持穴３６に、接続部材１８のピン４８を再び挿入する。
【００２６】
図９を参照する。図９に示すように、本考案の一実施形態による引き出しの高さを調整する装置は、引き出し６０に接続部材１８を組み合わせる場合、接続部材１８の固定板５０に設けられた固定孔６６に、例えば、ネジなどの固定部材６８を貫設させて引き出し６０に螺着させてもよい。これにより、突出部４６及び接合部６２により、引き出し６０に接続部材１８を挿着させる固定力をさらに高めることができる。
【００２７】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００２８】
１０    ベース
１２    支持座
１４    調整ダイヤル
１６    ネジ軸
１８    接続部材
２０    第１の端部
２２    第２の端部
２４    側壁
２６    位置決め部
２８    垂直セクション
３０    固定片
３２    竪穴
３４    横穴
３６    支持穴
３８    収納部
４０    固定孔
４２    ネジ孔
４４    調整部
４６    突出部
４８    ピン
５０    固定板
５２    ガイドレール
５４    貫通孔
５６    凸体
５８    挿入口
６０    引き出し
６２    接合部
６４    ガイド斜面
６６    固定孔
６８    固定部材
２００  引き出し
２０２  接合部
２０４  接続部材
２０６  突出部
【図１】
0003166791.tif 000003
【図２】
0003166791.tif 000004
【図３】
0003166791.tif 000005
【図４】
0003166791.tif 000006
【図５】
0003166791.tif 000007
【図６】
0003166791.tif 000008
【図７】
0003166791.tif 000009
【図８】
0003166791.tif 000010
【図９】
0003166791.tif 000011